(57)【要約】【課題】湾曲型液晶パネルにおいて、湾曲部に位置するシールのダメージによるギャップ変動やシール剥がれの発生による不良を防止し、表示品質、歩留り、及び信頼性の向上を図ることができる。【解決手段】湾曲型液晶パネル１００において、対向配置されるスイッチング素子基板１１０及びカラーフィルタ基板１２０と、これら基板間に配置される液晶１４０と、これら基板間に配置されて基板を貼り合わせるとともに液晶１４０を囲み封止するシール材１３０と、これら基板の少なくとも一部に形成された基板面とシール材１３０が共に湾曲される湾曲部とを備え、このシール材１３０が湾曲される部分におけるシール材１３０の液晶１４０に対して外側に、このシール材１３０を補強する補強材１３０ａｄを形成する。【選択図】図１
2010026372.tif 000002
【特許請求の範囲】
【請求項１】
対向配置される一対の基板と、前記一対の基板間に配置される液晶と、前記一対の基板間に配置され、前記一対の基板を貼り合わせるとともに前記液晶を囲み封止するシール材と、前記一対の基板の少なくとも一部に形成された前記一対の基板の基板面と前記シール材が共に湾曲される湾曲部とを備え、
前記シール材が湾曲される部分における前記シール材の液晶に対して外側に前記シール材を補強する補強材が形成されることを特徴とする湾曲型液晶パネル。
【請求項２】
補強材は、シール材と同一材料により該シール材と一体化したパターンに形成され、前記補強材と前記シール材の一体化したパターンの幅は前記シール材が湾曲されない部分における前記シール材のパターン幅よりも太く形成されることを特徴とする請求項１に記載の湾曲型液晶パネル。
【請求項３】
補強材は、シール材と分離したパターンとなる様に形成されることを特徴とする請求項１に記載の湾曲型液晶パネル。
【請求項４】
補強材は、前記シール材と同一材料により形成されることを特徴とする請求項３に記載の湾曲型液晶パネル。
【請求項５】
補強材は、複数のパターンとなる様に形成されることを特徴とする請求項３或いは請求項４に記載の湾曲型液晶パネル。
【請求項６】
一対の平面基板の少なくとも一方の基板に、所定の領域を囲むシール材を塗布形成する工程と、前記シール材における特定の部分において、前記シール材の前記所定の領域に対して外側に前記シール材と同一材料よりなる補強材を前記シール材と近接し離隔して塗布形成する工程と、前記一対の平面基板を対向して配置して貼り合わせ、前記近接し離隔して配置した補強材と前記シール材を前記一対の平面基板間に挟んで拡げて一体化したパターンとすることにより、前記特定の部分において、補強材と前記シール材の一体化したパターンの幅がその他の部分における前記シール材のパターン幅よりも太くなる様に形成する工程と、前記一対の平面基板の基板面と前記特定の部分における前記シール材が共に湾曲される湾曲部を前記一対の平面基板に形成する工程とを有することを特徴とする湾曲型液晶パネルの製造方法。
【請求項７】
シール材及び補強材を塗布形成する工程をスクリーン印刷により行い、補強材の長手方向と前記スクリーン印刷による塗布動作時におけるスキージの移動方向を同一方向とすることを特徴とする請求項６に記載の湾曲型液晶パネルの製造方法。
【請求項８】
一対の平面基板の少なくとも一方の基板に、所定の領域を囲むシール材を塗布形成する工程と、前記シール材における特定の部分において、前記シール材の前記所定の領域に対して外側に前記シール材と同一材料よりなる補強材を前記シール材と一体化したパターンとなる様に塗布形成することにより、前記特定の部分において、補強材と前記シール材の一体化したパターンの幅がその他の部分における前記シール材のパターン幅よりも太くなる様に形成する工程と、前記一対の平面基板の基板面と前記特定の部分における前記シール材が共に湾曲される湾曲部を前記一対の平面基板に形成する工程とを有することを特徴とする湾曲型液晶パネルの製造方法。
【請求項９】
シール材及び補強材を塗布形成する工程を、シール材及び補強材を吐出するノズルを走査することにより行い、補強材の塗布時においてはノズルからシール材及び補強材を吐出する圧力を増加し吐出量を増加させることを特徴とする請求項８に記載の湾曲型液晶パネルの製造方法。
【発明の詳細な説明】
【技術分野】
【０００１】
本発明は湾曲型液晶パネル及びその液晶パネルの製造方法に関するものである。
【背景技術】
【０００２】
近年、従来の様な平面ではなく湾曲した曲面を持つ湾曲型液晶パネルへの需要が高まってきている。この様な湾曲型液晶パネルにおいては、湾曲時の歪みにより液晶パネル内の様々な箇所に負荷が発生する。その結果、製造時における基板間ギャップの変動による表示品質や基板間の貼り合わせの剥がれによる歩留りの低下、これら不良が使用時に発生する信頼性の低下など、種々の不具合が発生している。
【０００３】
この様に湾曲型液晶パネルにおいては、湾曲による歪みに対応してパネル内の強度や耐久性を上げることが望まれており、この様な歪みに対する方策をとった湾曲型液晶パネルが幾つか提案されている。例えば、特許文献１においては、湾曲による液晶セルの体積変化により余剰となった液晶の余剰分を逃がす液溜部を設ける内容が開示されており、液溜部はシール領域内にシールによる隔壁を設けることにより形成されている。この構成によれば余剰液晶による基板を引き剥がす方向の圧力の印加を低減できる効果、配置される隔壁によりシールを補強する効果などによりギャップ変動や基板剥がれを低減できることが見込まれる。また、特許文献２においては、湾曲された場合に湾曲部分において発生する基板間のギャップ不良などを改善する為、ギャップを制御するスペーサの配置密度を湾曲部分で高くする内容が開示されている。
【０００４】
【特許文献１】特開２０００−１９９８９１号公報（第４−７頁、第１−５図）
【特許文献２】特開２００２−７２１７９号公報（第１２−１６頁、第２図、第５図）
【発明の開示】
【発明が解決しようとする課題】
【０００５】
然しながら、湾曲型液晶パネルの製造時において、パネルが湾曲される際、対向する基板が湾曲されると同時にパネルの湾曲方向に対して両端に配置されるシール材も同時に湾曲される。この湾曲部に位置するシールには湾曲時に力が加わる為、ダメージなどが残存して、その後の使用時においてシール材の破れや剥がれの起点になりやすい。また、湾曲後の製造工程や使用時において、パネルに伸び縮みなどが発生すると、基板間が剥がれる方向への力がパネル中央部で発生する。この力は一方の基板のみが伸び縮みした場合に特に顕著となる。
【０００６】
この様な状況に対して、特許文献１の方法においては、液晶の余剰分による圧力印加の影響は抑えることができる点、シール材に対して補強効果を持つ点など、パネル全体のシール材の剥がれに対して、ある程度改善可能であると思われる。しかし、シール材自体が湾曲されない部分、即ちダメージなどが入り難い部分におけるシール材が補強されており、逆に、上述の様に最も剥がれる懸念の高いパネル中央部での剥がれに対しては、全く改善措置が取られておらず、防止することができない。また、液溜部や隔壁を設けることによりパネルの額縁も広くなりパネルサイズが大きくなってしまう。一方、特許文献２の方法においては、スペーサにより湾曲部を補強してギャップの変動を改善する効果を持っているが、スペーサはギャップが狭くなることを防止するのみで基板間を強固に接着する機能を持たないことから、基板間が離れる方向へのギャップ変動やシール剥がれに対しては防止することができない。以上説明の様に、従来の湾曲型液晶パネルにおいては、湾曲に対して適切な対応がされ、高い表示品質、狭額縁化、及び十分なシール部の耐久性を満たしたものは無かった。
【０００７】
この発明は、上述の様な問題を解決するためになされたもので、高い表示品質とシール部の耐久性が高く歩留り及び信頼性の高い湾曲型液晶パネルを得るものである。
【課題を解決するための手段】
【０００８】
本発明に係る湾曲型液晶パネルにおいては、対向配置される一対の基板と、これら基板間に配置される液晶と、これら基板間に配置されて基板を貼り合わせるとともに液晶を囲み封止するシール材と、これら基板の少なくとも一部に形成された基板面とシール材が共に湾曲される湾曲部とを備え、このシール材が湾曲される部分におけるシール材の液晶に対して外側に、このシール材を補強する補強材が形成されるものである。
【発明の効果】
【０００９】
本発明の湾曲型液晶パネルによれば、シール材自体が湾曲されダメージの入り易い部分のシール材を効果的に補強することにより、表示品質、歩留り、及び信頼性の向上を図ることができる。
【発明を実施するための最良の形態】
【００１０】
実施の形態１.
図１は、本発明の実施の形態１における液晶パネルの概略図である。以下、この液晶パネルの構成について図１を用いて説明する。図１（ａ）は液晶パネル全体を示した平面図、図１（ｂ）は図１（ａ）における断面線Ａ−Ｂでの断面図を示したものである。なお、図は模式的なものであり、示された構成要素の正確な大きさなどを反映するものではない。表示画素の繰り返し部分の省略及び膜構成の一部簡略化を行っている。また、図中、既出の図において説明したものと同一の構成要素には同一の符号を付し、その説明を省略する。以下の図においても同様とする。
【００１１】
ここでは、一例としてＴＦＴ（Ｔｈｉｎ Ｆｉｌｍ Ｔｒａｎｓｉｓｔｏｒ）をスイッチング素子に用いて動作される液晶パネルについて説明を行うことにする。図１（ａ）及び図１（ｂ）に示される様に、この液晶パネル１００は、スイッチング素子の配置されるスイッチング素子基板１１０と、スイッチング素子基板１１０と対向して配置される画像を表示する表示面２００を有するカラーフィルタ基板１２０と、スイッチング素子基板１１０とカラーフィルタ基板１２０との間の表示面２００に対応する領域を囲う様に配置され、両基板を貼り合わせる樹脂からなるシール材１３０と、このシール材１３０により囲まれスイッチング素子基板１１０とカラーフィルタ基板１２０との間の表示面２００に対応する領域に封止された液晶１４０から構成されており、カラーフィルタ基板１２０側が凸となる方向に、所定の曲率に湾曲した外観を為している。また、湾曲方向は、基板の長手方向である図中Ｘ方向に平行な方向に湾曲の曲率が最大となる方向である。
【００１２】
また、図１（ａ）及び図１（ｂ）から解る様に、カラーフィルタ基板１２０の四辺に添う様に配置されたシール材１３０のうち、湾曲方向と平行に、即ちカラーフィルタ基板１２０の長手方向に平行な二辺に其々添う様に配置されるシール材１３０ｈについては、スイッチング素子基板１１０及びカラーフィルタ基板１２０の基板面の湾曲と共に湾曲される。この湾曲されるシール材１３０ｈの液晶１４０に対して外側には、シール材１３０ｈと同一材料の樹脂よりなる補強材１３０ａｄが略平行に配置され、シール材１３０ｈと一体化したパターンとして形成されており、この一体化したパターンの幅は湾曲方向と垂直に配置されて湾曲されない部分にあるシール材１３０ｖのパターンの幅に比べて太く形成されている。なお、具体的な幅としては、湾曲されない部分にあるシール材１３０ｖのパターンの幅は、０．７±０．１ｍｍ程度に形成されているのに対し、一体化したパターンの幅は、１．４±０．１ｍｍ程度と略二倍程度に形成されている。
【００１３】
上述のスイッチング素子基板１１０は、透明基板であるガラス基板１１１の一方の面において、表示面２００に対応する領域に液晶１４０を配向させる配向膜１１２、配向膜１１２の下部に設けられ液晶１４０を駆動する電圧を印加する画素電極１１３、画素電極１１３に電圧を供給するＴＦＴなどのスイッチング素子１１４、スイッチング素子１１４を覆う絶縁膜１１５、スイッチング素子１１４に信号を供給する配線であるゲート配線１１６及びソース配線１１７などを有し、更に表示面２００に対応する領域外にはスイッチング素子１１４に供給される信号を外部から受け入れる端子１１８、端子１１８から入力された信号を対向電極へ伝達するためのトランスファ電極（図示せず）などを有している。また、ガラス基板１１１の他方の面には偏光板１５１を有している。
【００１４】
一方、上述のカラーフィルタ基板１２０は、透明基板であるガラス基板１２１の一方の面に液晶１４０を配向させる配向膜１２２、配向膜１２２の下部に配置され、スイッチング素子基板１１０上の画素電極１１３との間に電界を生じ液晶１４０を駆動する共通電極１２３、共通電極１２３下部に設けられるカラーフィルタ１２４及び遮光層１２５などを有している。また、ガラス基板１２１の他方の面には偏光板１５２を有している。
【００１５】
また、スイッチング素子基板１１０とカラーフィルタ基板１２０はシール材１３０及び基板間の距離を一定の距離に保持するスペーサ（図示せず）を介して貼り合わされている。スペーサとしては、基板上に散布された粒状のスペーサを用いても良いし、何れか一方の基板上に樹脂をパターニングして形成された柱状のスペーサを用いても良い。更に、トランスファ電極と共通電極１２３は、トランスファ材（図示せず）により電気的に接続されており、端子１１８から入力された信号が共通電極１２３に伝達される。この他に、液晶パネル１００は駆動信号を発生する駆動用ＩＣ（Ｉｎｔｅｇｒａｔｅｄ Ｃｉｒｃｕｉｔ）などを装備した制御基板１５３、制御基板１５３を端子１１８に電気的に接続するＦＦＣ（Ｆｌｅｘｉｂｌｅ Ｆｌａｔ Ｃａｂｌｅ）１５４、光源となるバックライトユニット（通常は、表示面２００の反対側となる様、スイッチング素子基板１１０に対向して配置されるが、ここでは図示せず）などを備えており、これら部材と共に表示面２００の部分が開放された筐体（図示せず）の中に収納される。
【００１６】
この液晶パネル１００は次の様に動作する。例えば制御基板１５３から電気信号が入力されると、画素電極１１３及び共通電極１２３に駆動電圧が加わり、駆動電圧に合わせて液晶１４０の分子の方向が変わる。そして、バックライトユニットの発する光がスイッチング素子基板１１０、液晶１４０及びカラーフィルタ基板１２０を介して観察者側に透過或いは遮断されることにより、液晶パネル１００の表示面２００に映像などが表示される。
【００１７】
なお、この液晶パネル１００は、一例であり他の構成でも良い。液晶パネル１００の動作モードは、ＴＮ（Ｔｗｉｓｔｅｄ Ｎｅｍａｔｉｃ）モードや、ＳＴＮ（Ｓｕｐｐｅｒ Ｔｗｉｓｔｅｄ Ｎｅｍａｔｉｃ）モード、強誘電性液晶モードなどでもよく、駆動方法は、単純マトリックスやアクティブマトリックスなどでもよく、カラーフィルタ基板１２０に設けた共通電極１２３をスイッチング素子基板１１０側に設置して、画素電極１１３との間に横方向に液晶１４０に対して電界をかける横電界方式を用いた液晶パネルでも良い。また、通常の透過型の液晶パネルを用いて説明を行ったが、反射型や、両者を併せ持つ半透過型でも良い。更に基板としては、透過型の液晶パネルに対応して、透明基板を用い、その一例としてガラスを用いて説明を行ったが、透過型の液晶パネルの場合には、透明であれば透明プラスチックや石英など、他の材質の基板を用いても良い。更に反射型液晶パネルの場合には、一方の基板については、シリコン基板など、必ずしも透明基板でなくとも良い。
【００１８】
更に、トランスファ材については、シール材１３０中に導電性の粒子などを混合することにより代用でき省略することも可能である。また、ここでは、駆動用ＩＣを端子１１８に対し制御基板１３５に載せた状態で接続したが、直接端子１１８上に配置して駆動用ＩＣの端子を端子１１８に直接接続する構成としても良い。また、シール材１３０において、液晶を注入する注入口の図示を省略しているが、液晶の注入方法として、真空中で注入口より注入する真空注入方式を用いる場合には注入口及び注入口を封止する封止剤が形成される。また、液晶を液滴状で配置して真空中で基板を貼り合わせて注入する滴下注入方式を用いる場合には、注入口及び封止剤は省略可能である。
【００１９】
次に、本実施の形態１における液晶パネルの製造方法について説明する。スイッチング素子基板１１０及びカラーフィルタ基板１２０の製造方法については一般的な方法を用いるため、簡単に説明する。スイッチング素子基板１１０は、ガラス基板１１１の一方の面に、成膜、フォトリソグラフィー法によるパターンニング、エッチングなどのパターン形成工程を繰り返し用いてスイッチング素子１１４や画素電極１１３、端子１１６、トランスファ電極１１７を形成することにより製造される。また、カラーフィルタ基板１２０は、同様に、ガラス基板１２１の一方の面にカラーフィルタ１２４や共通電極１２３を形成することにより製造される。いずれの基板も少なくとも貼り合わされる前までは、湾曲されない平面基板として製造される。
【００２０】
続いて、本実施の形態１において特徴的な組み立て工程について図２に示すフローチャートにしたがって説明する。まず、基板洗浄工程において、画素電極１１３が形成されているスイッチング素子基板１１０を洗浄する（Ｓ１）。次に、配向膜材料塗布工程において、スイッチング素子基板１１０の一方の面に、例えば印刷法により配向膜１１２の材料となるポリイミドからなる有機膜を塗布し、ホットプレートなどにより焼成処理し乾燥させる（Ｓ２）。その後、配向膜材料の塗布されたスイッチング素子基板１１０に対して配向処理を行い、配向膜１１２を形成する（Ｓ３）。また、Ｓ１からＳ３と同様に、共通電極１２３が形成されているカラーフィルタ基板１２０についても、洗浄、有機膜の塗布、及び配向処理を行うことにより配向膜１２２を形成する。
【００２１】
続いて、シール材１３０を形成するシール材塗布工程において、スイッチング素子基板１１０或いはカラーフィルタ基板１２０の一方の面にシール材１３０となる樹脂の塗布処理を行う（Ｓ４）。また、シール材１３０には、例えばエポキシ系接着剤などの熱硬化型樹脂や紫外線硬化型樹脂を用いることができ、後に行う液晶注入工程として、滴下注入方式を用いる場合には、紫外線硬化型樹脂を用いることが望ましい。このシール材塗布工程について、本実施の形態１においては、スクリーン印刷を用いた。
【００２２】
このスクリーン印刷を用いたシール材塗布工程について、図３を用いて詳細に説明する。図３（ａ）は、スクリーン印刷によるシール材塗布工程を示すものであり、１０は、処理される基板であるカラーフィルタ基板１２０を載せて保持するステージ、１１は、スクリーン版であり、１２は、スクリーン版１１に設けられた開口パターン、１３は、開口パターン１２を介して基板１上にシール材１３０として塗布される樹脂ペースト、１４は、スクリーン版１１上を走査し樹脂ペースト１３を開口パターン１２よりカラーフィルタ基板１２０上に押し出し印刷塗布するスキージである。印刷時においては、図３（ａ）に示す様にステージ１０はスクリーン版１１とカラーフィルタ基板１２０が接触する間際まで近接され、スキージ１４がスクリーン版１１上を図中に示される矢印と平行な方向に向かって走査される。その結果、ペースト１３がスクリーン版１１に設けられた開口パターン１２を介してスクリーン版１１の下部に配置されたカラーフィルタ基板１２０の主面に塗布される。本実施の形態１では、図３（ａ）における開口パターンの配置からも解る様に一枚の基板あたり四枚の液晶パネルを取り出す場合を例に取って説明することとする。
【００２３】
図３（ｂ）は、カラーフィルタ基板１２０に塗布される樹脂ペースト１３の樹脂パターンの配置を示すものであり、スクリーン版に設けられた開口パターン１２についても、この樹脂パターンの配置に対応した開口部とする。ここでは、各パネルについては、基本的には同様に形成されることから、一つのパネルに対応する樹脂パターンのみについて示し、説明を行う。本実施の形態１においては、図１（ａ）において説明した補強材１３０ａｄを形成する樹脂を、このシール材塗布工程において形成される樹脂パターンとして、同時に塗布形成する。塗布される樹脂パターンとしては、表示面に対応する所定の領域を囲む様にシール材１３１が四隅に丸みの形成された略矩形状の閉ループの樹脂パターンとして配置され、更に、このシール材１３１の対向する二辺の近傍には、其々一対の樹脂パターンからなる補強材１３１ａｄが表示面に対応する領域に対して外側に一定の距離を置いて添う様に配置される。この補強材１３１ａｄは後に基板と共にシール材が湾曲される湾曲部となる特定の部分に配置される。本実施の形態１においては、図１を用い説明した通り基板の長手方向に平行に湾曲されることから、シール材１３１の特定の部分として、この長手方向に平行な二辺のシール材１３１が選ばれる。また、図３（ｂ）からも解る様に、この補強材１３１ａの樹脂パターンの長手方向はスクリーン印刷による塗布動作時におけるスキージ１４の移動方向と同一方向となる様に配置される。このシール材１３１及び補強材１３１ａｄの塗布されるパターン幅としては、約０．２ｍｍとなる様に、開口パターン１２の開口部の幅を０．２ｍｍに設計した。更に、シール材１３１と補強材１３１ａｄの間隔としてはパターン中心間の距離として０．５ｍｍ、パターン端面間の距離として０．３ｍｍとなる様に配置して、近接配置されると共に離隔して配置される様にした。
【００２４】
次に、図２に示すフローチャートに示す様に、スイッチング素子基板１１０或いはカラーフィルタ基板１２０の一方の面に、樹脂中に導電性の粒子を混在させたものや銀ペーストなどの基板間の導通を取るトランスファ材の塗布処理を行うトランスファ材塗布工程（Ｓ５）、スイッチング素子基板１１０或いはカラーフィルタ基板１２０の一方の面に基板間の距離を一定の距離に保持するスペーサを湿式法や乾式法により散布するスペーサ散布工程（Ｓ６）などが行われる。これら工程については、例えば、トランスファ材塗布工程は基板を貼り合わせる為のシール材中に導電性の粒子を混在させることにより、シール材の形成工程と兼ねることも可能であり、スペーサ散布工程はスイッチング素子基板１１０或いはカラーフィルタ基板１２０の一方の面に予め基板間の距離を決定する突起状の柱スペーサを形成しておくことにより、其々省略することも可能である。
【００２５】
以上の様に準備が行われた、スイッチング素子基板１１０とカラーフィルタ基板１２０に対して、滴下注入方式によって、液晶の滴下（Ｓ７）及びスイッチング素子基板１１０とカラーフィルタ基板１２０の貼り合わせ（Ｓ８）を行うことによって液晶の封止を行う。この液晶滴下から基板貼り合わせまでの工程について、図４を用いて説明する。
【００２６】
まず、図４（ａ）に示す様に、カラーフィルタ基板１２０には、基板を貼り合わせる為のシール材１３１が四枚の液晶パネル（液晶パネルの外形に対応する領域を点線にて指示している。）の表示領域を囲む様に、其々四つの閉ループの略矩形状に形成され、其々のシール材１３１の対向する二辺の近傍には、図３（ｂ）で説明したとおり、一定の距離を置いて添う様に其々一対の補強材１３１ａｄが配置されている。この様な準備が行われたカラーフィルタ基板１２０に対し、四つの閉ループをなすシール材１３１のパターンで囲まれる領域内に、其々、液滴状の液晶１４１が所定のパネル内の容積となる様に滴下される。
【００２７】
更に、図４（ｂ）に示す様に、カラーフィルタ基板１２０に対して、スイッチング素子基板１１０を互いに対向して配置され、四つの液晶パネル（液晶パネルの外形に対応する領域を点線にて指示している。）が其々対応する様に位置合わせされたうえ、真空中において貼り合わされる。カラーフィルタ基板１２０上に形成されたシール材１３１及び補強材１３１ａｄはスイッチング素子基板１１０とカラーフィルタ基板１２０間に挟まれ拡げられ一体化した樹脂パターンとなる。図中、其々の部分をシール材１３０及び補強材１３０ａｄで示している。また、カラーフィルタ基板１２０上に形成された液滴状の液晶１４１についても基板間で拡げられ、図中に示す様に、シール材１３０で囲われる領域内に均一に拡がり液晶１４０が充填される。なお、図中では、便宜上、スイッチング素子基板１１０とカラーフィルタ基板１２０が若干ずれた状態で示されているが、スイッチング素子基板１１０の下にカラーフィルタ基板１２０が配置されたことを示す為であり、実際には、ほぼ完全に重なる様に位置合わせされて貼り合わされている。
【００２８】
また、シール材１３１及び補強材１３１ａｄは図３（ｂ）で説明した様に、印刷される樹脂パターンの幅としては、約０．２ｍｍに形成しており、ここでは、貼り合わせ後のシール材１３０の幅が０．７±０．１ｍｍとなる様に制御及び管理した。この様に管理することで、貼り合わせ前のシール材１３１から、貼り合わせ後のシール材１３０への幅変化量は、片側のパターン端面について、０．２〜０．３ｍｍとなる。同一材料により同時に形成していることから、補強材１３１ａｄについても同様の変化をする。これらの点から、パターン端面間の距離の変化量は、シール材１３１及び補強材１３１ａｄの両者の変化量を併せて、０．４〜０．６ｍｍとなる。シール材１３１及び補強材１３１ａｄの形成時のパターン端面間の距離としては０．３ｍｍに設定していることから、貼り合わせにより確実に双方のパターンは一体化させることができる。
【００２９】
以上の様に貼り合わされたスイッチング素子基板１１０とカラーフィルタ基板に対して、一体化したパターンとして形成されたシール材１３０及び補強材１３０ａｄの硬化処理が行われる。この工程は、例えばシール２３３の材質に合わせて熱を加えることや、紫外線を照射することにより行われる。
【００３０】
次に、図２に示すフローチャートに示す様に、湾曲液晶パネルを得るために、湾曲加工が容易になる様に、ガラス基板１１１及びガラス基板１２１を削る薄型化研磨工程を行う（Ｓ９）。この工程は、例えば薬液を用いた化学研磨や研磨材により擦る物理研磨によりガラス基板表面を削ることにより行われる。次に、セル分断工程において、貼り合わせた基板を個々の液晶パネルに対応する個別セルに分断する（Ｓ１０）。
【００３１】
続いて、偏光板貼り付け工程において、セルに偏光板１５１、１５２を貼り付ける（Ｓ１１）。続いて、制御基板実装工程において、制御基板１５３を実装し（Ｓ１２）、最後に基板を湾曲する様に変形された状態で筐体内に組み込み保持することによって(Ｓ１３)、湾曲型の液晶パネル１００が完成する。湾曲方向としては、本実施の形態１では表示面２００側が凸となる様に湾曲させたが、表示面２００側が凹になる様に湾曲させても良い。更に、液晶１４０を囲むシール材１３０において、特定の部分である補強材１３０ａｄが近傍に配置され一体化された長手方向に平行な対向する二辺におけるシール材１３０が湾曲される湾曲部を少なくとも持つ様に、即ち本実施の形態１では、液晶パネル１００の長手方向に平行な方向に湾曲の曲率が最大となる方向に湾曲する。
【００３２】
以上の様に製造された本実施の形態１の湾曲型液晶パネルにおいては、基板と共にシール材１３０が共に湾曲される湾曲部において、シール材１３０が補強材１３０ａｄにより補強されることから、湾曲部においてシール材１３０の剥がれや基板間のギャップ不良などの発生による歩留りや信頼性の低下が発生することを防止することができる。この補強効果は、製造時における湾曲加工時においても、剥がれやギャップ不良による不良品の発生を防止できることから歩留りの改善に寄与し、製品としての使用時においても、同様の不良の後発生を防止できることから信頼性の改善に寄与する。また、補強材１３０ａｄは液晶１４０に対して外側に配置され、通常基板外部から基板間を剥がす方向へのダメージが入ることが多いことから液晶１４０を封止するシール材１３０には直接のダメージが入り難く、効果的に補強される。更に、液晶１４０に対して外側であることは、即ち表示領域に対しても外側であることから、補強材１３０ａｄが拡げられる際に表示領域へ食み出し表示不良などを発生する懸念も無い。
【００３３】
更に、本実施の形態１では、シール材１３０と補強材１３０ａｄはスクリーン印刷を用いて同時に形成することができることから、処理工程などが増加することがなくコスト増加も発生しない。また、印刷形成時において、シール材１３１及び補強材１３１ａｄは同じ幅で分離して形成され、基板の貼り合わせ時において、拡げて一体化される。更に、このシール材１３０と補強材１３０ａｄの一体化されたパターン幅が、他の辺におけるシール材１３０のパターン幅よりも太くなる様に形成される。この様に印刷時においては、補強材１３０ａｄはシール材１３０と同じ幅であることから、スクリーン版の開口部からのペーストの抜けの不具合などを発生することなくシール材１３０と同様に安定した幅で印刷することができる。また、印刷時のスキージの走査方向に対して補強材１３０ａｄの長手方向を揃えたことによって、更にペーストの抜けの不具合を発生し難くすることができ、印刷幅の安定性が向上する。また、シール材１３０と補強材１３０ａｄは一体化されることから、補強材１３０ａｄが分離して形成されるのに比べて、補強材１３０ａｄの配置に伴う占有面積の増加を最小限とすることができ、液晶パネルの外形が大きくなることを防ぎ、狭額縁化に対して殆ど悪影響を及ぼさない。更に、シール材１３０と一体化された場合には、補強材１３０ａｄが分離して配置されるのに比べて、シール材１３０との相互作用により補強材１３０ａｄによる補強効果を上げることができる。
【００３４】
また、本実施の形態１では、滴下注入方式を用いて液晶１４０を充填する製造方法を一例として説明したので、この様に形成したが、真空注入方式を用いる場合には、シール材１３０は完全に閉じた形状ではなく一部開口させた注入口が形成される。注入口は、端子１１８の配置される辺と対向する辺に配置するのが、端子１１８及び、補強材１３０ａｄと干渉しないことから望ましい。この様に液晶注入方式を用いる場合、上記説明した液滴状の液晶１４１の形成処理は省略され、代わりにセル分断工程（Ｓ１０）後に真空中で液晶注入口から液晶を注入する液晶注入工程が設けられる。更に、封止工程において、例えば光硬化型樹脂を液晶注入口部に塗布し、光を照射することにより液晶注入口の封止が行われる。上記説明した滴下注入方式を用いた実施の形態１にかえて、これら液晶注入工程を行った場合にも実施の形態１と同様の効果を得ることができる。また、湾曲方向についても、基板の長手方向に限られず基板短手方向に湾曲させても構わず、その場合には、基板の湾曲と共に湾曲されるのが短手方向と平行なシール材に変わるので、短手方向に平行なシール材に対して補強材を配置することにより同様の効果を得ることができる。
【００３５】
また、本実施の形態１では、印刷形成時において、補強材１３１ａｄはシール材１３１の対向する辺に対して其々一本形成する場合について説明したが、これに限られず、其々に対して複数本設けても良い。この場合においても、複数本の補強材１３１ａｄをシール材１３１と等幅に設け、基板貼り合わせ時に複数本の補強材１３１ａｄとシール材１３１を一体化させることにより、シール印刷時においては印刷の不具合を発生することなく、本数に応じた幅の太い樹脂パターンが得られ強い補強効果を得ることができる。また、印刷時において塗布される補強材については、本実施の形態１の様にシール材と等幅で形成するのが印刷の安定性から最適であるが、ペーストの抜けが悪くならない程度の範囲内であれば、シール材より若干太く形成しても良く、シール材と補強材を印刷時より一体に形成するのに比べると印刷の安定性を向上することができる。
【００３６】
実施の形態２.
実施の形態１においては、シール材及び補強材の塗布形成について、スクリーン印刷を用いてシール材の外側に距離を置く様に補強材を形成し、その後の貼り合わせ時において補強材とシール材を一体化させる方法について説明した。本実施の形態２においては、同様にスクリーン印刷を用いた場合での、形成される樹脂パターンについて一部変更した幾つかの変形例について図５及び図６を用いて説明する。これら変形例については、形成される樹脂パターンを変更した点を除くと実施の形態１の構成及び製造方法と大きく変わらないことから、詳細な構成及び製造方法の説明は省略して、具体的な樹脂パターンの変更点及び変更により生ずる効果の違いについて説明することとする。
【００３７】
まず、図５（ａ）は第１の変形例における印刷後の樹脂パターンの配置を示すものであり、実施の形態１における図３（ｂ）に対応する。また、図５（ｂ）は図５（ａ）の樹脂パターンの基板貼り合わせ後の配置を示すものである。本第１の変形例においては、図５（ａ）に示す様に、四隅に丸みの形成された略矩形状の閉ループに配置されるシール材１３１において、矩形状の長手方向に平行な対向した二辺について、実施の形態１において設けた分離して形成された補強材を形成せず、その代わりに残りの短手方向に平行な二辺に比べて若干太く形成した。具体的には、短手方向に平行な二辺については、実施の形態１と同様に約０．２ｍｍとなる様に、開口パターンの開口部の幅を０．２ｍｍに設計し、それに対して、長手方向に平行な二辺については、約０．２５ｍｍとなる様に開口パターンの開口部の幅を０．２５ｍｍに設計している。
【００３８】
この様に形成されたシール材１３１は、図５（ｂ）に示す様に、基板貼り合わせにより拡げられる。この様に拡げられた樹脂パターンにおいても、短手方向に平行な二辺の０．７±０．１ｍｍの幅に対して、長手方向に平行な二辺については、０．８５±０．１ｍｍの様に太くなる様に形成される。ここで、図５（ｂ）においては、液晶の封止される領域を囲む等幅のシール材１３０に対して、長手方向に平行な二辺において太く形成された部分を区別して記載している。この太く形成された部分については、液晶を囲むシール材１３０の外側に配置されて、シール材１３０の長手方向に平行な二辺に対する補強材として、実施の形態１の補強材１３０ａｄと同様の役割をする。そこで本変形例でも、このシール材１３０の長手方向に平行な二辺の外側に位置する太く形成された部分について、実施の形態１と同様に補強材１３０ａｄと呼ぶこととする。また、実施の形態１においては、補強材１３０ａｄとシール材１３０とは印刷時において分離されて形成されていたが、本変形例においては、印刷時においても、一体化して形成されることから、補強材１３０ａｄとシール材１３０には、この様な明確な区別はできない。然しながら、本変形例における補強材１３０ａｄについても、実施の形態１と同様にシール材１３０の補強効果を有する。
【００３９】
この様に形成された補強材１３０ａｄとシール材１３０に対して、更に実施の形態１と同様の製造工程を進めることにより本変形例における液晶パネルを得ることができる。本変形例における液晶パネルにおいても、実施の形態１と同様に基板と共にシール材１３０が共に湾曲される湾曲部において、シール材１３０が補強材１３０ａｄにより補強されることから、湾曲部においてシール材１３０の剥がれや基板間のギャップ不良などの発生による歩留りや信頼性の低下が発生することを防止することができる。また、本変形例においては、長手方向に平行な二辺を太くする程度を比較的少なくしていることから、印刷時におけるスクリーン版の開口部からのペーストの抜けに関する不具合が発生することが無い。一方、補強材１３０ａｄについては、実施の形態１に比べて細く形成されることから、湾曲に対する補強効果は低下するものの、湾曲の曲率の低い液晶パネルなどにおいては、実施の形態１と同様に好適に使用することが可能である。
【００４０】
続いて、図６（ａ）は第２の変形例における印刷後の樹脂パターンの配置を示すものであり、実施の形態１における図３（ｂ）に対応する。また、図６（ｂ）は図６（ａ）の樹脂パターンの基板貼り合わせ後の配置を示すものである。本第２の変形例においては、図６（ａ）に示す様に、四隅に丸みの形成された略矩形状の閉ループに配置されるシール材１３１において、矩形状の長手方向に平行な対向した二辺について、実施の形態１と同様に、其々一対の樹脂パターンからなる補強材１３１ａｄが一定の距離を置いて添う様に配置される。更に、印刷される樹脂パターンの幅としては、シール材１３１と補強材１３１ａｄの樹脂パターンの幅が共に約０．２ｍｍとなる様に、開口パターンの開口部の幅を０．２ｍｍに設計した。但し、本変形例においては、シール材１３１と補強材１３１ａｄの間隔をパターン中心間の距離が１．０ｍｍと設定し、実施の形態１に比べて広めに設計している。
【００４１】
この様に形成されたシール材１３１及び補強材１３１ａｄは、図６（ｂ）に示す様に、基板貼り合わせにより拡げられる。この様にシール材１３１及び補強材１３１ａｄが拡げられた樹脂パターンであるシール材１３０及び補強材１３０ａｄについては其々０．７±０．１ｍｍのパターン幅となる様に制御及び管理した。然しながら、本変形例においては、シール材１３０及び補強材１３０ａｄの間隔が実施の形態１に比べて広めに設計されていることから、実施の形態１の様に一体化されることは無い。
【００４２】
この様に形成された補強材１３０ａｄとシール材１３０に対して、更に実施の形態１と同様の製造工程を進めることにより本変形例における液晶パネルを得ることができる。本変形例における液晶パネルにおいても、実施の形態１と同様に基板と共にシール材１３０が共に湾曲される湾曲部において、シール材１３０が補強材１３０ａｄにより補強されることから、湾曲部においてシール材１３０の剥がれや基板間のギャップ不良などの発生による歩留りや信頼性の低下が発生することを防止することができる。また、補強材１３０ａｄは液晶１４０に対して外側に配置されることから、実施の形態１と同様に効果的に補強され、更に、表示領域へ食み出し表示不良などを発生する懸念も無い。更に本変形例においても、実施の形態１と同様に印刷時においては、補強材１３０ａｄはシール材１３０と同じ幅であることから、スクリーン版の開口部からのペーストの抜けの不具合などを発生することなくシール材１３０と同様に安定した幅で印刷することができる。また、印刷時のスキージの走査方向に対して補強材１３０ａｄの長手方向を揃えたことによって、更にペーストの抜けの不具合を発生し難くすることができ、印刷幅の安定性が向上する。また、補強材１３０ａｄはシール材１３０とは等幅であることが、印刷時における安定性からは望ましいが、太く形成しても良い。更にシール材１３０の対向する辺に対して其々一本に限られず、其々に対して複数本設けても良い。シール材１３０より太く形成した場合や、複数本設けた場合には、補強効果については向上することができる。
【００４３】
実施の形態３.
実施の形態１及び実施の形態２においては、シール材及び補強材となる樹脂パターンの塗布形成について、スクリーン印刷を用いた方法について説明した。本実施の形態３においては、樹脂をノズルより吐出するディスペンサ方式を用いてシール材及び補強材となる樹脂パターンを塗布形成する場合について説明する。本実施の形態３については、形成される樹脂パターン及び形成方法などシール材形成工程を変更した点を除くと実施の形態１の構成及び製造方法と大きく変わらないことから、詳細な構成及び製造方法の説明は省略して、具体的なシール材形成工程の変更点及び変更により生ずる効果の違いについて説明することとする。
【００４４】
まず、図７（ａ）は本実施の形態３における形成後の樹脂パターンの配置を示すものであり、実施の形態１における図３（ｂ）に対応する。また、図７（ｂ）は図７（ａ）の樹脂パターンの基板貼り合わせ後の配置を示すものである。本実施の形態３においては、図７（ａ）に示す様に、四隅に丸みの形成された略矩形状の閉ループに配置されるシール材１３１において、液晶を注入する注入口１３２が形成されている。本実施の形態２において説明した第１の変形例と同様に矩形状の長手方向に平行な対向した二辺について、残りの短手方向に平行な二辺に比べて太く形成される。具体的には、短手方向に平行な二辺については、約０．２ｍｍであり、それに対して、長手方向に平行な二辺については、約０．４ｍｍとなる様に形成されている。
【００４５】
この様に形成されたシール材１３１は、図７（ｂ）に示す様に、基板貼り合わせにより拡げられる。この様に拡げられた樹脂パターンにおいても、短手方向に平行な二辺の０．７±０．１ｍｍの幅に対して、長手方向に平行な二辺については、１．４±０．１ｍｍの様に太くなる様に形成される。ここで、図７（ｂ）においても、本実施の形態２において説明した図５（ｂ）と同様に液晶の封止される領域を囲む等幅のシール材１３０に対して、長手方向に平行な二辺において太く形成された部分の特に外側に位置する部分を区別して記載し、１３０ａｄと呼ぶ。本実施の形態３における補強材１３０ａｄについても、実施の形態２において説明した第１の変形例及び実施の形態１と同様にシール材１３０の補強効果を有する。
【００４６】
続いて、ディスペンサ方式により、以上説明の様な矩形状の長手方向に平行な対向した二辺について、残りの短手方向に平行な二辺に比べて太く形成する方法について、図８を用いて説明する。図８（ａ）は図７（ａ）を用い説明した樹脂パターンの塗布形成時における、ノズルからの吐出される樹脂の吐出圧の時間変化を示すものであり、図８（ｂ）は、図８（ａ）に示される位置Ｐ１〜Ｐ６に対応する位置を図７（ａ）に追記したものである。図８（ｂ）に示される注入口１３２部における位置Ｐ１を塗布開始点として、順次、シール材１３１の形状に沿って、各コーナ部Ｐ２、Ｐ３、Ｐ４、及びＰ５を経由し、最後注入口１３２部における位置Ｐ６まで走査することにより、シール材１３１は塗布形成される。また、この走査中における樹脂の吐出圧は図８（ａ）に示される様に、注入口１３２部及び注入口１３２の配置される辺における区間であるＰ１からＰ２とＰ５からＰ６の区間と、注入口１３２の配置される辺と対向する辺における区間であるＰ３からＰ４の区間、即ち、注入口１３２部及び短手方向に平行な二辺における区間については、開始時の吐出圧と同じ所定の圧力で塗布される。一方、残りの長手方向に平行な二辺における区間であるＰ２からＰ３の区間とＰ４からＰ５の区間については、前記の所定の圧力に対して略二倍の吐出圧に増加して塗布が行われる。これにより、Ｐ２からＰ３の区間とＰ４からＰ５の区間については、吐出圧の増加により吐出量も略二倍に増加され、図８（ｂ）に示す様に、形成されるシール材１３１についても、注入口１３２部及び短手方向に平行な二辺における幅に対し、残りの長手方向に平行な二辺における幅の方が略二倍程度に太く形成することができる。
【００４７】
以降の工程については、実施の形態１の製造方法の説明における液晶を注入口より注入する真空注入方式を用いた場合と同様であることから説明を省略する。また、本実施の形態３においては、ディスペンサ方式での塗布と比較的相性の良い真空注入方式を用いた場合を例として説明を行ったが、実施の形態１及び実施の形態２で説明した注入口を設けない滴下注入方式を用いても同様に長手方向に平行な二辺について、吐出時の圧力を変更することにより補強材を形成することができ、同様の補強効果を得ることができる。また、本実施の形態３の方法を用いた場合、補強材の形成において、樹脂の塗布時における吐出圧の変更のみであり、樹脂を塗布するノズルの走査距離については変更する必要が無いことから、処理能力を落とすことなく補強材を形成することができる。
【００４８】
本実施の形態３においては、実施の形態２で説明した第１の変形例と同様に樹脂パターンの形成時から補強材を一体化した樹脂パターンとして形成する方法を用いた。然しながら、ディスペンサ方式を用いた場合においても、実施の形態１或いは実施の形態２で説明した第２の変形例と同様に補強材を液晶を囲むシール材の外側に一定の距離を置いて添う様に配置する方法に変形可能であり、実施の形態１或いは実施の形態２で説明した第２の変形例と同様に、湾曲部においてシール材の剥がれや基板間のギャップ不良などの発生による歩留りや信頼性の低下が発生することを防止することができる。また、塗布時においては等幅で形成しても良いことから、実施の形態３の様に途中での吐出圧の変更をすることなく同一条件で走査可能でありディスペンス装置や処理工程を簡易化できる。
【００４９】
また、本実施の形態３及び上記説明の変形例の様に、ディスペンサ方式によりシール材や補強材を形成した場合、一枚の基板におけるシール材及び補強材の全ての線について順次ノズルを走査する必要があることから、一枚の基板を一度のスキージの走査で処理可能な印刷方式に比べると一基板あたりの処理速度では不利となる。しかし、比較的サイズの大きな液晶パネルの場合など、一枚の基板あたり同時製造する液晶パネルの数が少ない場合においては、処理能力低下のデメリットは少なく、ディスペンサ方式も好適に使用することが可能であり、実施の形態１及び実施の形態２と同様の効果を得ることができる。
【００５０】
以上、実施の形態１、２及び３においては、液晶を囲むシール材が湾曲される部分である長手方向に平行な二辺近傍に添う様に直線状の補強材をシール材と同じ樹脂により形成された構成を一例として説明したが、これらの構成のみに限られない。シール材が湾曲される部分を補強する作用があれば良いことから、このシール材のうち湾曲される部分となる平行な二辺近傍の外側に、この二辺に添う様に破線状や点線状にシール材と同じ樹脂をスクリーン印刷方式やディスペンサ方式で塗布形成しても良い。これら、破線状や点線状に形成する場合においても、実施の形態１、２及び３において説明した基板を貼り合わせた際にシール材と一体化させる方法と一体化させずに貼り合せた後においても分離される方法の何れを用いても良く、其々の対応する実施の形態１、２及び３と同様の効果を有する。更に、補強材は、シール材と同じ樹脂に形成する方が、特別な工程を増加することなく、シール材と同時に形成できることから望ましいが、基板間の接着を補強する効果があれば、基板間の電気的導通を取る導電性のペーストや、その他接着剤など、シール材と異なる材料を別途形成しても良い。シール材と異なる材料を用いる場合には、シール材よりも接着強度の高いものが望ましい。
【図面の簡単な説明】
【００５１】
【図１】本発明の実施の形態１における液晶パネルの平面図及び断面図である。
【図２】本発明の実施の形態１における液晶パネルの製造方法における組み立て工程を示すフローチャートである。
【図３】本発明の実施の形態１の液晶パネルの製造工程におけるスクリーン印刷によるシール材塗布工程及び塗布される樹脂パターンの配置を示した概略図である。
【図４】本発明の実施の形態１の液晶パネルの製造工程における液晶滴下から基板貼り合わせまでの工程について示した概略平面図である。
【図５】本発明の実施の形態２における第１変形例の液晶パネルにおける樹脂パターンの印刷後及び基板貼り合わせ後の配置を示した概略図である。
【図６】本発明の実施の形態２における第２変形例の液晶パネルにおける樹脂パターンの印刷後及び基板貼り合わせ後の配置を示した概略図である。
【図７】本発明の実施の形態３の液晶パネルにおける樹脂パターンの塗布後及び基板貼り合わせ後の配置を示した概略図である。
【図８】本発明の実施の形態３の液晶パネルにおける樹脂パターンの塗布時における樹脂の吐出圧の変化及び樹脂パターン上の位置を示した概略図である。
【符号の説明】
【００５２】
１００ 液晶パネル、１１０ スイッチング素子基板、１２０ カラーフィルタ基板、
１３０,１３０ｖ,１３０ｈ,１３１ シール材、１３０ａｄ,１３１ａｄ 補強材、
１４０ 液晶、１４ スキージ。
【図１】
2010026372.tif 000003
【図２】
2010026372.tif 000004
【図３】
2010026372.tif 000005
【図４】
2010026372.tif 000006
【図５】
2010026372.tif 000007
【図６】
2010026372.tif 000008
【図７】
2010026372.tif 000009
【図８】
2010026372.tif 000010